【事件の表示】
　平成１１年特許願第１４７００５号「顔写真付きカレンダー」拒絶査定不服審判事件〔平成１２年　３月　７日出願公開、特開２０００−　７１６４４〕について、次のとおり審決する。
【結　論】
　本件審判の請求は、成り立たない。
【理　由】
第１　手続の経緯  
　本願は、出願日が平成９年７月８日である意匠登録出願（意願平９−６０８３６号）を平成１１年４月８日に特許出願に変更したものであって、平成１８年１１月２９日付け（起案日）で拒絶査定がされ、これを不服として平成１９年２月２日付けで審判請求がされたものである。
　当審においてこれを審理した結果、平成２１年７月３０日付け（起案日）で拒絶の理由を通知したところ、審判請求人は、平成２１年９月２９日付けで意見書を提出した。
　
第２　本願発明について
１　本願発明の認定
　本願の明細書の特許請求の範囲の請求項１には次のように記載されている。（以下の下線は審決において付した。）
「顔写真付きプリントシール機で顔写真付きカレンダーを印刷する。」
　前記記載における「顔写真付きカレンダーを印刷する。」は、直ちに技術的意味が理解し得ない故に、本願明細書の【発明の詳細な説明】「この発明は顔写真付きプリントシール機によって印刷する顔写真シールにカレンダーを図案としてセッティングし、顔写真シールの意義を多様にした。
　日記や手帳、ノート等に貼付したオリジナルな写真や図柄とのカレンダーセッティングによって、楽しさ、意義が倍増となる。
１シール
１シール
　過去を振り返えると、シール、
カレンダーと称される物
カレンダー数字として
アラビア数字、漢数字、明朝体、花文字のようなアレンジ文字等々、数字配列としても、タエ、ヨコ、等々、年号や１月から１２月迄等々
　しかし、本発明カレンダーのように、殆んど本人の自由意思でプリントアウトできる、楽しいカレンダーは、かって、なかった。」及び図面を参酌するに、
　「顔画像とカレンダー数字等からなる画像とを１シールに印刷する。」ことが含まれているものと解される。
　してみれば、本願の特許請求の範囲の請求項１に係る発明は、以下に記載された事項によって特定される次のものが含まれているものと認める。
「顔写真付きプリントシール作成装置で顔画像とカレンダー数字等からなる画像とを１シールに印刷する。」（以下「本願発明」という。）
　
２　引用刊行物
（１）当審の拒絶理由に引用された、本願出願前に頒布された刊行物である登録実用新案第３０３４０１２号公報（以下「引用例」という。）には、図面とともに以下の記載がある。
（ア）「【実用新案登録請求の範囲】
【請求項１】  被写体を載置するステージと、このステージに被写体を導入するための被写体導入口と、シールを排出するためのシール排出口と、を有する装置筐体と、
前記装置筐体の外面に設けられた表示画面と、
前記装置筐体の外面に設けられ、コイン投入口および操作ボタンが配置された操作盤と、
前記ステージの上方に設置され、前記ステージ上の被写体を撮影するためのビデオカメラと、
このビデオカメラからの信号に基づいて、被写体の画像情報を用意するコントローラと、
前記画像情報に基づいて前記表示画面上に被写体の画像を提示する画像提示手段と、
前記画像情報に基づいてシール上に
被写体の画像を印刷
前記コイン投入口から所定のコイン投入があったことを検知するとともに前記操作ボタンの操作入力を検知して、前記コントローラに検知信号を与える入力検知手段と、
を備え、前記コントローラが、コイン投入が検知された後、前記操作ボタンの操作入力に基づいて被写体の画像情報を用意する処理を実行することを特徴とする
シール作成装置
【請求項２】  物品からなる
第１の被写体
前記装置筐体の外面に設けられた表示画面と、
前記装置筐体の外面に設けられ、コイン投入口および操作ボタンが配置された操作盤と、
前記ステージの上方に設置され、前記ステージ上の第１の被写体を撮影するための第１のビデオカメラと、
人物からなる第２の被写体
前記第１のビデオカメラおよび前記第２のビデオカメラからの信号に基づいて、
第１の被写体および第２の被写体の画像情報
前記画像情報に基づいて前記表示画面上に被写体の画像を提示する画像提示手段と、
前記画像情報に基づいてシール上に
被写体の画像を印刷
前記コイン投入口から所定のコイン投入があったことを検知するとともに前記操作ボタンの操作入力を検知して、前記コントローラに検知信号を与える入力検知手段と、
を備え、前記コントローラが、コイン投入が検知された後、前記操作ボタンの操作入力に基づいて前記第１のビデオカメラおよび／または前記第２のビデオカメラを動作させ、第１の被写体および／または第２の被写体の画像情報を用意する処理を実行することを特徴とする
シール作成装置
【請求項３】  請求項２に記載のシール作成装置において、
コントローラが、
第１のビデオカメラで撮影した第１の被写体と第２のビデオカメラで撮影した第２の被写体とを合成した画像情報
シール作成装置
【請求項４】  請求項１〜３のいずれかに記載のシール作成装置において、操作ボタンを用いて、
１枚のシール上
１枚のシールの
シール作成装置
【請求項５】  請求項１〜４のいずれかに記載のシール作成装置において、コントローラ内に被写体の背景となるべき背景画像を用意し、操作ボタンによって選択された背景画像に被写体の画像を重畳して印刷するようにしたことを特徴とするシール作成装置。」
（イ）「【考案の詳細な説明】
　【０００１】
　【考案の属する技術分野】
  本考案は、シール作成装置、特に、ゲームセンターや街頭に設置し、コインを投入して
顔写真
　【０００２】
　【従来の技術】
  運転免許書や各種証明書に用いる顔写真を撮影し、その場で現像して写真を排出する写真撮影装置は、鉄道の駅や街頭などに設置されて古くから利用されているが、最近では、
顔写真をシールの形態でプリントして出力するシール作成装置
　【０００３】
  【考案が解決しようとする課題】
  上述した従来のシール作成装置は、プレーヤの顔写真のシールを制作することはできるものの、
任意の被写体のシール
シール上にプリントされる被写体は、プレーヤの現在の顔に限定されるため、自分の幼少時代の顔写真や、その場には不在の他人の顔写真などを被写体としたシールは作成することができず、また、装身具、雑誌、ポスターといった一般的な物品を被写体としたシールは作成することができなかった。
　【０００４】
  そこで本考案は、
被写体の選択自由度の高い
（ウ）「【００１０】
    【考案の実施の形態】
  以下、本考案を図示する実施形態に基づいて説明する。図１は、本考案の一実施形態に係るシール作成装置の外観図である。筐体１００の前面には、表示画面１１０と、被写体導入口１２０と、操作盤１３０と、シール排出口１４０と、が設けられている。また、筐体１００の上部には天板フレーム１５０が取り付けられており、この天板フレーム１５０に沿って背景幕１６０が吊着されている。プレーヤは、背景幕１６０のすき間から幕内へと入り、筐体１００の前方に立ち、表示画面１１０を見ながら操作盤１３０を操作することになる。すなわち、操作盤１３０には、コイン投入口および操作ボタンが配置されており、プレーヤはコイン投入口から所定のコインを投入した後、表示画面１１０に表示される指示に基づいて操作ボタンを操作し、必要な入力を行う。一方、被写体導入口１２０から筐体１００内部へと連なる空洞部の底面にはステージ１２５が形成されており、
プレーヤは被写体導入口１２０から任意の物品を空洞部へと差し込み、ステージ１２５の上に載置することができる。後述するように、ステージ１２５上に載置された物品の画像は、表示画面１１０上に表示される。プレーヤが操作盤１３０に対して所定の操作を行うと、この物品の画像が印刷されたシールがシール排出口１４０から排出されることになる
　【００１１】
  この図１に示すシール作成装置の側断面図を図２に示す。筐体１００の内部には、第１のビデオカメラ２１０と、第２のビデオカメラ２２０と、ブラウン管２３０と、ハーフミラー２４０と、入力検知部２５０と、ビデオプリンタ２６０と、コントローラ２７０とが設けられている。第１のビデオカメラ２１０は、ステージ１２５の上方に設置され、
ステージ１２５上に載置された被写体を撮影する機能を有する
被写体導入口１２０から、写真、雑誌、ブローチなど任意の物品
一方、第２のビデオカメラ２２０は、筐体１００の前方に立っているプレーヤの顔を被写体として撮影する機能を有する。すなわち、表示画面１１０およびハーフミラー２４０を通して、背景幕１６０を背景としたプレーヤの顔が撮影されることになる。
（エ）「 【００２０】
  以上、本考案を基本的な実施形態に基づいて説明したが、本考案はこの他にも種々の形態で実施可能である。たとえば、上述の実施形態では、予め用意された背景画像と被写体画像とを合成して、シール上に印刷を行っていたが、
第１のビデオカメラ２１０で撮影した第１の被写体と第２のビデオカメラ２２０で撮影した第２の被写体とを合成してシール上に印刷したり
自分の顔と恋人の顔とを併置した合成画像をシールＳ上に得ることが可能になる
　【００２１】
　また、上述の実施形態では、画像はシール上に分割されて出力されるものの、
シール自身は１枚の紙片として排出される
　【００２２】
  上述の実施形態では、
１回のプレイは、１枚のシールの排出により終了している
（オ）摘記（ア）〜（ウ）の「シール作成装置」は、摘記（イ）段落【０００３】「・・略・・
シール上にプリント
（カ）摘記（ア）〜（ウ）の「プリントシール作成装置（シール作成装置）」は、摘記（イ）「【０００１】
　【考案の属する技術分野】
  本考案は、
シール作成装置
顔写真
シールを製造する
（キ）図４並びに摘記（ア）特に請求項４及び摘記（エ）より、図４の「シールＳ」並びに摘記（ア）請求項４及び摘記（エ）の「１枚のシール」は「１シール」であることが把握できる。
（ク）以上より、摘記（ア）〜（エ）を含む引用例全体から、引用例には、次の発明が記載されている。
「顔写真付きプリントシール作成装置で顔画像と任意の物品から選択される画像とを１シールに印刷する。」（以下「引用発明」という。）
　
３　対比
　本願発明と引用発明とを対比する。
（１）引用発明における「顔写真付きプリントシール作成装置」は本願発明における「顔写真付きプリントシール機」に相当する。
（２）してみると、本願発明と引用発明とは、以下の点で一致する。
　＜一致点＞
　「顔写真付きプリントシール機で顔画像と他の画像とを１シールに印刷する。」
（４）一方、本願発明と引用発明とは、以下の点で相違する。
　＜相違点＞
　本願発明では、上記「他の画像」に関し、「カレンダー数字等からなる画像」と特定されているのに対し、引用発明では「任意の物品から選択される画像」である点。
　
４　判断
（１）＜相違点＞について
　ア　「顔画像とカレンダー数字等からなる画像とを１印画紙に印刷する。」ことは、例えば、特開平７−２９８１９１号公報（特に、図７及び【００４７】）、特開平８−２５１５３３号公報（特に、図１１、図１３、段落【００６５】〜【００６９】）に記載の如く、周知である（以下「周知技術]という。）。
　イ　したがって、引用発明において、「任意の物品から選択される画像」として「カレンダー数字等からなる画像」を選択するようになすことは、周知技術に基づいて当業者が容易に想到し得ることである。 
  よって、相違点に係る本願発明の特定事項は、引用発明及び周知技術に基づいて、当業者が容易に想到し得ることである。 
　
（２）効果について
　本願発明の奏する効果は、引用発明の奏する効果及び周知技術の奏する効果から当業者が予測できた程度のものである。
　
（３）まとめ
　したがって、本願発明は、引用例に記載された発明及び周知技術に基づいて、当業者が容易に発明することができものである。 
　
５　むすび
　以上のとおり、本願発明は、引用例に記載された発明及び周知技術に基づいて当業者が容易に発明をすることができたものであるから、特許法第２９条第２項の規定により特許を受けることができない。　  
　したがって、本願は拒絶を免れない。 
　よって、結論のとおり審決する。